(57)【特許請求の範囲】
【請求項１】
複数のインバータを含むインバータシステムにおいて、通信マスターに設定された一つのインバータが通信スレーブに設定された他のインバータを制御するインバータ制御方法において、
前記通信マスターが通信マスター信号を生成して前記通信スレーブに送信するステップ；
前記通信スレーブが前記通信マスター信号を受信すると、前記通信マスター信号に含まれる応答を所望する相手局番情報に基づいて、自身に受信される信号であるか否かを確認するステップ；及び
前記確認の結果によって前記通信マスター信号に対する応答信号を、前記インバータシステムに含まれる全てのインバータに送信するステップを含み、
前記通信マスター信号及び前記応答信号の両方が、前記応答を所望する相手局番情報を含み、
前記インバータシステムに含まれる前記全てのインバータが、前記通信マスター信号及び前記応答信号に含まれる前記応答を所望する相手局番情報に関わらず、前記通信マスター信号及び前記応答信号を処理し、格納する
インバータ制御方法。
【請求項２】
前記通信マスターが前記通信マスター信号を前記通信スレーブに送信するステップは、
発信局番情報、データ情報、前記応答を所望する相手局番情報及びエラーチェックを含む前記通信マスター信号を生成し、前記通信スレーブに送信するステップを含むことを特徴とする、
請求項１に記載のインバータ制御方法。
【請求項３】
前記通信スレーブが前記通信マスター信号を受信すると、自身に受信される信号であるか否かを確認するステップは、
前記通信マスター信号の応答を所望する前記相手局番情報に自身の局番情報が作成されていれば、前記通信マスター信号が自身に受信される信号であると確認するステップを含むことを特徴とする、
請求項２に記載のインバータ制御方法。
【請求項４】
前記確認の結果によって前記通信マスター信号に対する前記応答信号を前記インバータシステムのインバータに送信するステップは、
発信局番情報、データ情報、前記通信マスターの局番情報及びエラーチェックを含む前記応答信号を生成し、前記インバータシステムの複数のインバータに送信するステップを含むことを特徴とする、
請求項２または３に記載のインバータ制御方法。
【請求項５】
前記通信マスターに設定されたインバータに故障が発生した場合、前記通信スレーブに設定されたインバータのいずれか一つが前記通信マスターに設定されることを特徴とする、
請求項１乃至４のいずれか一項に記載のインバータ制御方法。
【発明の詳細な説明】
【技術分野】
【０００１】
本発明は、インバータ制御方法に関する。
【背景技術】
【０００２】
複数台のインバータが連結（接続）されたインバータシステムにおいては、マスター／フォロワ機能を利用して、複数台のインバータを、一つのマスターインバータと、残りのフォロワインバータとに区別する。その後、一つのマスターインバータが、残りのフォロワインバータの動作を監視、または一つのマスターインバータが要する命令またはデータを伝送するようにする。
【０００３】
このために、マスターインバータ及びフォロワインバータは、通信で互いに連結（接続）されており、通信データを授受するようになる。マスターインバータ及びフォロワインバータが通信データを授受するためには、一つのインバータが通信マスターとして動作し、残りのインバータが通信スレーブとして動作する。
【０００４】
通信マスターは、通信データを通信スレーブに送信する。そして、通信スレーブは、通信マスター信号に書かれた相手局番に自身の局番情報が作成されていれば（すなわち、通信マスター信号に書かれた相手局番に自身の局番情報が含まれていれば）、通信マスターから受信を受けた通信データに対する応答データを通信マスターに送ることとなる。このような過程を通して、通信マスターは、全ての通信スレーブの情報を格納しているが、通信マスターに問題が発生したか、または通信が切れた場合、通信スレーブが通信マスターの役割をすることができないという問題点がある。このような理由で、インバータシステムのインバータが通信マスターを変更するのに困難があった。
【０００５】
このような問題点は、インバータシステムの使用者に不便を感じさせることもある。例えば、モータまたはインバータに異常が発生した場合、現在の技術は、それぞれのインバータで自身の故障モードだけ示すため、使用者は、設けられている全てのインバータを一々点検しなければならない問題点が発生することとなる。
【０００６】
インバータシステムは、有機的に動作するため、万が一発生し得るモータの異常またはインバータの異常に対処できるようにインバータ内に安全機能を搭載している。このような安全機能としてインターロック（Ｉｎｔｅｒｌｏｃｋ）機能がある。インターロック機能は、モータに異常が発生した場合、異常が発生したモータの駆動を止めて、停止状態にある他のモータで代替動作する安全機能である。
【０００７】
このような機能を使用者が活性化（有効化）した場合、モータに異常が発生しても外部的にはモータがポンプシステムを駆動しているので、異常の有無を直ちに確認することが難しいところがある。
【０００８】
このように、従来の技術は、インバータが自身のインバータ情報だけを格納しているため、システムの他のインバータの異常またはモータの異常、そして通信の異常に直ちに対処することができなかった。
【発明の概要】
【発明が解決しようとする課題】
【０００９】
本発明は、インバータシステムにおいて、インバータが送信する通信信号をインバータシステムの全てのインバータが受信して処理することで、インバータが他のインバータで発生した問題点または通信異常を点検できるようにするインバータ制御方法を提供することを目的とする。
【００１０】
また、本発明は、インバータシステムの全てのインバータが他のインバータの情報を格納しているため、通信マスターに設定されたインバータが故障しても、他のインバータが通信マスターの役割を代わりに実行できるようにするインバータ制御方法を提供することを目的とする。
【００１１】
本発明が解決しようとする課題は、以上において言及した課題に制限されず、言及されていないまた他の課題は、下記の記載から当業者が明確に理解できるだろう。
【課題を解決するための手段】
【００１２】
実施形態の中で、多数（複数）のインバータを含むインバータシステムにおいて、通信マスターに設定された一つのインバータが通信スレーブに設定された他のインバータを制御するインバータ制御方法は、通信マスターが通信マスター信号を生成して通信スレーブに送信するステップ、前記通信スレーブが前記通信マスター信号を受信すると、自身に受信される信号であるか否かを確認するステップ、及び前記確認の結果によって前記通信マスター信号に対する応答信号を前記インバータシステムのインバータに送信するステップを含む。
【００１３】
その他、実施形態の具体的な事項は、詳細な説明及び添付の図面に含まれている。
【００１４】
本発明の利点および／または特徴、そして、それらを達成する方法は、添付の図面と共に詳細に後述されている実施形態を参照すれば、明確になるだろう。しかし、本発明は、以下において開示される実施形態に限定されるものではなく、互いに異なる様々な形態で具現され、単に、本実施形態は、本発明の開示が完全なものとなるようにし、本発明の属する技術の分野における通常の知識を有する者に発明の範疇を完全に知らせるために提供されるものであり、本発明は、請求項の範疇により定義されるだけである。明細書全体にわたって類似した参照符号は、類似した構成要素を指す。
【発明の効果】
【００１５】
本発明によると、インバータシステムにおいて、インバータが送信する通信信号をインバータシステムの全てのインバータが受信して処理することで、インバータが他のインバータで発生した問題点または通信異常を点検することができるという効果がある。
【００１６】
また、本発明によると、インバータシステムの全てのインバータが他のインバータの情報を格納しているため、通信マスターに設定されたインバータが故障しても、他のインバータが通信マスターの役割を代わりに果たすことができるという効果がある。
【図面の簡単な説明】
【００１７】
【図１】従来のポンプシステムを説明する図である。
【図２】マスター／フォロワ機能での通信マスターと通信スレーブを示す構成図である。
【図３】通信マスターと通信スレーブとの間で送受信されるデータを説明するための図である。
【図４】通信マスターと通信スレーブとの間で送受信されるデータを説明するための図である。
【図５】本発明の一実施形態に係る通信マスターと通信スレーブとの間で送受信されるデータを説明するための図である。
【図６】本発明の一実施形態に係るインバータ制御方法の一実施形態を説明するためのフローチャートである。
【発明を実施するための形態】
【００１８】
以下においては、添付の図面を参照して、本発明の実施形態を詳細に説明する。
【００１９】
図１は、従来のポンプシステムを説明する図である。図１の実施形態は、複数のインバータが通信で有機的に動作している実施形態である。
【００２０】
図１を参照すると、ポンプシステムは、インバータ１０＿１、１０＿２、１０＿３、…、１０＿Ｎ、及びインバータ１０＿１、１０＿２、１０＿３、…、１０＿Ｎのそれぞれに連結（接続）されるモータ１１＿１、１１＿２、１１＿３、…、１１＿Ｎを含む。
【００２１】
インバータ１０＿１、１０＿２、１０＿３、…、１０＿Ｎのそれぞれは、インバータ信号入出力ボード１２＿１、１２＿２、１２＿３、…、１２＿Ｎを含む。インバータ信号入出力ボード１２＿１、１２＿２、１２＿３、…、１２＿Ｎのそれぞれには、インバータ１０＿１、１０＿２、１０＿３、…、１０＿Ｎに必要な種々の信号及び電源を、入力或いは連結（接続）することができるように設計されている。
【００２２】
インバータ信号入出力ボード１２＿１、１２＿２、１２＿３、…、１２＿Ｎのそれぞれは、複数台が連結（接続）されたインバータシステムにおいて重要な情報の送受信を受けるために一つの通信線で連結（接続）され、送受信を受けた情報を利用してポンプシステムに所望の力を加えることとなる。
【００２３】
図１のように、インバータ１０＿１、１０＿２、１０＿３、…、１０＿Ｎが互いに通信して制御されるためには、マスター／フォロワ機能を用いなければならない。マスター／フォロワ機能は、インバータ１０＿１、１０＿２、１０＿３、…、１０＿Ｎのいずれか一つのインバータ（例えばインバータ１０＿１）がマスターインバータとして動作し、残りのインバータ１０＿２、１０＿３、…、１０＿Ｎがフォロワインバータとして動作することとなる。
【００２４】
また、インバータ１０＿１、１０＿２、１０＿３、…、１０＿Ｎのそれぞれのパラメータを設定するために、インバータ信号入出力ボード１２＿１、１２＿２、１２＿３、…、１２＿Ｎに位置するキーパッドが用いられる。
【００２５】
上記のように、インバータのマスター／フォロワ機能を用いるようになると、有機的な制御のために通信データを授受するようになり、インバータの設定によって一つの通信マスターと残りの通信スレーブとで構成されるようになる。
【００２６】
図２は、マスター／フォロワ機能での通信マスターと通信スレーブを示す構成図である。
【００２７】
図２を参照すると、一台の通信マスター２０と複数台の通信スレーブ２１＿１、２１＿２、…、２１＿Ｎが存在し、通信マスター２０と通信スレーブ２１＿１、２１＿２、…、２１＿Ｎは、一つの通信ライン２２に連結（接続）されている。ここで、両方向通信（双方向通信）のための通信ライン２２は、４８５通信（シリアル通信の一例）やＣＡＮ通信等で具現され得る。
【００２８】
図１及び図２を連係して説明すると、インバータ１０＿１、１０＿２、１０＿３、…、１０＿Ｎのうちマスターインバータ１０＿１を通信マスター２０に設定したと仮定すると、残りのフォロワインバータ１０＿２、１０＿３、…、１０＿Ｎは、通信スレーブ２１＿１、２１＿２、…、２１＿Ｎとして動作することとなる。
【００２９】
このような実施形態とは異なり、マスターインバータ１０＿１と通信マスター２０は、必ずしも同一でなくてもよい。例えば、フォロワインバータ１０＿２、１０＿３、…、１０＿Ｎのいずれか一つのインバータ（例えばインバータ１０＿２）を通信マスター２０に設定したと仮定すると、マスターインバータ１０＿１及び残りのフォロワインバータ１０＿３、…、１０＿Ｎが、通信スレーブ２１＿１、２１＿２、…、２１＿Ｎとして動作することとなる。
【００３０】
図３及び図４は、通信マスターと通信スレーブとの間で送受信されるデータを説明するための図である。
【００３１】
図３及び図４を参照すると、一般に、通信マスターＭがシステムに連結（接続）された通信スレーブＳ１、Ｓ２、…、Ｓｎに必要な情報を要求するために通信データ３０、３１、３２をそれぞれ送信することとなる。通信スレーブＳ１、Ｓ２、…、Ｓｎは、専ら通信マスターＭの通信データを処理して要求する情報を分析し、応答信号を通信マスターＭに送信する。
【００３２】
通信マスターＭが送信する通信マスター信号３０は、図４のように、相手局番３０＿１と主要データ３０＿２及びエラーチェック３０＿３を含む。通信スレーブＳ１、Ｓ２、…、Ｓｎは、通信マスターＭの通信マスター信号３０の受信を受けて処理することとなる。より具体的には、通信スレーブＳ１、Ｓ２、…、Ｓｎは、通信マスター信号３０に書かれた相手局番３０＿１に通信スレーブ自身の局番情報が作成されていれば（すなわち、通信マスター信号３０に書かれた相手局番３０＿１に通信スレーブ自身の局番情報が含まれていれば）、通信マスターＭから受信を受けた通信マスター信号３０に対する応答信号３３、３４、３５を通信マスターＭに送ることとなる。このとき、応答信号３３、３４、３５は、通信マスターＭから受信を受けた通信マスター信号３０に対する信号に自身の状態情報を載せてマスターに伝達される。
【００３３】
通信マスターＭが送信する通信マスター信号３０のデータ３６のうち相手局番に通信スレーブ１（Ｓ１）の局番情報を作成して伝達したと仮定すると、通信スレーブ１（Ｓ１）は、通信マスターＭからの通信マスター信号３０を受信する。その後、通信マスター信号３０のデータ３６のうち相手局番に自身の局番情報が作成されていることを確認し、応答信号３３を通信マスターＭに送信することとなる。すると、通信マスターＭは、応答信号３３を参照して通信スレーブ１（Ｓ１）に対する状態情報を格納することとなる。
【００３４】
また、通信マスターＭが通信マスター信号３１のデータ３６に通信スレーブ２（Ｓ２）の局番情報を作成して伝達したと仮定すると、通信スレーブ２（Ｓ２）は、通信マスターＭから受信した通信マスター信号３０、３１のうち通信マスター信号３１のデータ３６の相手局番に自身の局番情報が作成されていることを確認する。その後、通信マスター信号３１に対する応答信号３４を通信マスターＭに送信することとなる。すると、通信マスターＭは、応答信号３４を参照して通信スレーブ２（Ｓ２）に対する状態情報を格納することとなる。
【００３５】
その後、通信マスターＭは、次の通信スレーブｎ（Ｓｎ）に通信マスター信号３２を送信することとなり、通信スレーブｎ（Ｓｎ）は、通信マスターＭから受信された通信マスター信号３０、３１、３２の受信を受ける。通信マスター信号３０、３１、３２を受信した後、自身の局番情報が作成された通信マスター信号３２に対してのみ応答信号３５を作成し、通信マスターＭに送信することとなる。このとき、通信スレーブｎ（Ｓｎ）は、図４のように、自身の状態情報３５＿１を含む応答信号を生成し、通信マスターＭに送信することができる。すると、通信マスターＭは、応答信号３５を参照して通信スレーブｎ（Ｓｎ）に対する状態情報を格納することとなる。
【００３６】
上記のように、通信マスターＭは、通信スレーブＳ１、Ｓ２、…、Ｓｎから応答信号３３、３４、３５を受信すると、応答信号３３、３４、３５に基づいて当該応答信号を送信した通信スレーブＳ１、Ｓ２、…、Ｓｎの状態情報を格納することとなる。しかし、通信マスターＭが全ての通信スレーブＳ１、Ｓ２、…、Ｓｎの情報を有しているため、通信マスターＭに問題が発生したか、または通信が切れた場合、通信スレーブＳ１、Ｓ２、…、Ｓｎが通信マスターＭの役割をすることができないという問題点がある。
【００３７】
図５は、本発明の一実施形態に係る通信マスターと通信スレーブとの間で送受信されるデータを説明するための図である。図５の実施形態においては、インバータシステムのインバータのうちのマスターインバータが通信マスターに設定されており、残りのフォロワインバータが通信スレーブに設定されて通信信号を送受信することができる。また、図５とは異なる他の実施形態として、フォロワインバータのうちの一つのインバータが通信マスターに設定され、マスターインバータ及び残りのフォロワインバータが通信スレーブに設定されて通信信号を送受信する構成とすることもできる。
【００３８】
通信マスターＭは、発信局番情報５０６、データ情報５０７、応答を所望する相手局番情報５０８及びエラーチェック５０９で構成されている通信マスター信号５００を通信スレーブＳに送信する。
【００３９】
通信スレーブＳ（Ｓ１、Ｓ２、…、Ｓｎ）は、通信マスターＭの通信マスター信号５００の受信を受けて処理し、格納することとなる。そして、通信マスター信号５００の応答を所望する相手局番情報５０８に自身の局番情報が作成されていれば（すなわち、通信マスター信号５００に含まれる相手局番情報５０８に自身の局番情報が含まれていれば）、通信マスター信号５００の発信局番情報５０６を参照して応答信号を送信することとなる。
【００４０】
このとき、通信スレーブＳ１は、発信局番情報５１０、データ情報５１１、応答を所望する相手局番情報５１２及びエラーチェック５１３で構成されている応答信号をブロードキャストで作成し、インバータシステムに連結（接続）された全てのインバータにデータを送信することとなる。すなわち、通信スレーブＳは、応答信号をブロードキャストで送信する。
【００４１】
通信マスターが通信スレーブ１（Ｓ１）に応答を所望する場合、通信マスターは、発信局番情報５０６、データ情報５０７、通信スレーブ１（Ｓ１）の局番情報５０８及びエラーチェック５０９を含む通信マスター信号５００をブロードキャストで作成し、通信ラインに送信する。すなわち、通信マスターは、通信マスター信号５００を、通信ラインにブロードキャストで送信する。
【００４２】
通信スレーブ１（Ｓ１）は、通信マスターの通信マスター信号５００の受信を受けて処理し、格納する。通信スレーブ１（Ｓ１）は、通信マスター信号５００の応答を所望する相手局番情報５０８にスレーブ１（Ｓ１）の局番情報が作成されていれば、通信マスター信号５００の発信局番情報５０６を参照して応答信号５０３を送信することとなる。このとき、通信スレーブ１（Ｓ１）は、スレーブ１（Ｓ１）の局番情報５１０、データ情報５１１、通信マスターの局番情報５１２及びエラーチェック５１３で構成されている応答信号５０３をブロードキャストで作成し、インバータシステムに連結（接続）された全てのインバータにデータを送信することとなる。すなわち、通信スレーブ１（Ｓ１）は、応答信号５０３をブロードキャストで送信する。
【００４３】
すると、通信マスターは、通信スレーブ１（Ｓ１）から所望の情報を得ることとなり、併せて、インバータシステムに連結（接続）された他のインバータは、通信マスターと通信スレーブ１（Ｓ１）の情報を全て処理して格納できるようになる。
【００４４】
通信マスターＭが通信スレーブ２（Ｓ２）に応答を所望する場合、通信マスターは、発信局番情報５１４、データ情報５１５、通信スレーブ２（Ｓ２）の局番情報５１６及びエラーチェック５１７を含む通信マスター信号５０１を通信ラインに送信する。
【００４５】
通信スレーブ２（Ｓ２）は、通信マスターＭから通信マスター信号５０１の受信を受けて処理し、格納する。通信スレーブ２（Ｓ２）は、通信マスター信号５０１の応答を所望する相手局番情報５１６にスレーブ２（Ｓ２）の局番情報が作成されていれば、通信マスター信号５０１の発信局番情報５１４を参照して応答信号５０４を送信することとなる。このとき、通信スレーブ２（Ｓ２）は、スレーブ２（Ｓ２）の局番情報５１８、データ情報５１９、通信マスターの局番情報５２０及びエラーチェック５２１で構成されている応答信号５０４をブロードキャストで作成し、インバータシステムに連結（接続）された全てのインバータにデータを送信することとなる。すなわち、通信スレーブ２（Ｓ２）は、応答信号５０４をブロードキャストで送信する。
【００４６】
すると、通信マスターは、通信スレーブ２（Ｓ２）から所望の情報を得ることとなり、インバータシステムに連結（接続）された他のインバータは、通信マスター、通信スレーブ１（Ｓ１）及び通信スレーブ２（Ｓ２）の情報を全て処理して格納できるようになる。
【００４７】
通信マスターが通信スレーブｎ（Ｓｎ）に応答を所望する場合、通信マスターは、発信局番情報５２２、データ情報５２３、通信スレーブｎ（Ｓｎ）の局番情報５２４及びエラーチェック５２５を含む通信マスター信号５０２をブロードキャストで作成し、通信ラインに送信する。すなわち、通信マスターは、通信マスター信号５０２を、通信ラインにブロードキャストで送信する。
【００４８】
通信スレーブｎ（Ｓｎ）は、通信マスターから通信マスター信号５０２の受信を受けて処理し、格納する。通信スレーブｎ（Ｓｎ）は、通信マスター信号５０２の応答を所望する相手局番情報５２４にスレーブｎ（Ｓｎ）の局番情報が作成されていれば、通信マスター信号５０２の発信局番情報５２２を参照して応答信号５０５を送信することとなる。このとき、通信スレーブｎ（Ｓｎ）は、スレーブｎ（Ｓｎ）の局番情報５２６、データ情報５２７、通信マスターの局番情報５２８及びエラーチェック５２９で構成されている応答信号５０５をブロードキャストで作成し、インバータシステムに連結（接続）された全てのインバータにデータを送信することとなる。すなわち、通信スレーブｎ（Ｓｎ）は、応答信号５０５をブロードキャストで送信する。
【００４９】
すると、通信マスターは、通信スレーブｎ（Ｓｎ）から所望の情報を得ることとなり、インバータシステムに連結（接続）された他のインバータは、通信マスター、通信スレーブ１（Ｓ１）、通信スレーブ２（Ｓ２）及び通信スレーブｎ（Ｓｎ）の情報を全て処理して格納できるようになる。
【００５０】
図６は、本発明に係るインバータ制御方法の一実施形態を説明するためのフローチャートである。図６の実施形態においては、インバータシステムのインバータのうちマスターインバータが通信マスターとして動作し、残りのフォロワインバータが通信スレーブとして動作して通信信号を送受信することができる。また、図６とは異なる他の実施形態として、インバータシステムのフォロワインバータのうちの一つのインバータが通信マスターとして動作し、マスターインバータ及び残りのフォロワインバータが通信スレーブとして動作して通信信号を送受信する構成とすることもできる。
【００５１】
図６を参照すると、通信マスターは、通信マスター信号を生成して（ステップＳ６１０）通信スレーブに送信する（ステップＳ６２０）。このとき、通信マスターは、発信局番情報、データ情報、応答を所望する相手局番情報及びエラーチェックを含む通信マスター信号を生成して通信スレーブに送信することができる。
【００５２】
通信スレーブは、通信マスターから通信マスター信号を受信すると、通信マスター信号が自身に受信される信号であるかを確認する（ステップＳ６３０）。通信スレーブは、通信マスター信号が自身に受信される信号であれば、通信マスター信号に対する応答信号をインバータシステムのインバータ（例えば全てのインバータ）に送信する（ステップＳ６４０）。すなわち、通信スレーブは、上記確認の結果によって（具体的には、上記確認の結果が肯定的である場合に）、通信マスター信号に対する応答信号をインバータシステムのインバータに送信する。
【００５３】
このとき、通信スレーブは、通信マスター信号の応答を所望する相手局番情報に自身の局番情報が作成されていれば（すなわち、通信マスター信号の相手局番情報に自身の局番情報が含まれていれば）、通信マスター信号が自身に受信される信号であると確認することができる。通信スレーブは、通信マスター信号が自身に受信される信号であると確認すると、発信局番情報、データ情報、通信マスターの局番情報及びエラーチェックを含む応答信号を生成してインバータシステムのインバータに送信することができる。このように、本発明は、インバータシステムにおいて、インバータが送信する通信信号をインバータシステムの全てのインバータが受信して処理することで、インバータが他のインバータで発生した問題点または通信異常を点検することができる。また、本発明は、通信マスターに設定されたインバータが故障しても、他のインバータが通信マスターの役割を代わりに果たすことができる。
【００５４】
本発明によると、インバータシステムにおいて、インバータが送信する通信信号をインバータシステムの全てのインバータが受信して処理することで、インバータが他のインバータで発生した問題点または通信異常を点検することができるという効果がある。
【００５５】
また、本発明によると、インバータシステムの全てのインバータが他のインバータの情報を格納しているため、通信マスターに設定されたインバータが故障しても、他のインバータが通信マスターの役割を代わりに果たすことができるという効果がある。
【００５６】
これまで、本発明に係る具体的な実施形態について説明したが、本発明の範囲を外れない限り、種々の変形が可能であることはもちろんである。それゆえ、本発明の範囲は、説明された実施形態に限定して定められてはならず、後述の特許請求の範囲だけでなく、この特許請求の範囲と均等なものにより定められるべきである。
【００５７】
以上のように、本発明は、限定された実施形態と図面により説明されたが、本発明は、上記の実施形態に限定されるものではなく、これは、本発明の属する技術の分野における通常の知識を有する者であれば、このような記載から様々な修正及び変形が可能である。従って、本発明の思想は、下記に記載の特許請求の範囲によってのみ把握されるべきであり、その均等または等価的変形はいずれも本発明の思想の範疇に属するといえるだろう。
【産業上の利用可能性】
【００５８】
本発明は、インバータ制御方法に利用することが可能である。
【符号の説明】
【００５９】
１０＿１〜１０＿Ｎ：  インバータ
２０，Ｍ：  通信マスター
２１＿１〜２１＿Ｎ，Ｓ１〜Ｓｎ：  通信スレーブ
３０〜３２，５００〜５０２：  通信マスター信号
３３〜３５，５０３〜５０５：  応答信号
５０６，５１０，５１４，５１８，５２２，５２６：  発信局番情報
５０７，５１１，５１５，５１９，５２３，５２７：  データ情報
５０８，５１２，５１６，５２０，５２４，５２８：  相手局番情報
５０９，５１３，５１７，５２１，５２５，５２９：  エラーチェック
【図１】
0006328173.tif 000002
【図２】
0006328173.tif 000003
【図３】
0006328173.tif 000004
【図４】
0006328173.tif 000005
【図５】
0006328173.tif 000006
【図６】
0006328173.tif 000007